(57)【要約】【課題】押圧部及び離隔部を覆いかぶせる弾性ボタン部材の押圧部カバーにより、外部からの物理力によるボタン式容器栓の破損を防止でき、押え操作が反復的になされてもボタン式容器栓の変形や破損を防止できるボタン式容器栓を提供する。【解決手段】ボタン式容器栓１００は、上部に吐出孔が形成された本体１１０と、本体１１０に設けられて上記吐出孔を開閉する蓋部１２０が備えられたものであって、押え操作により蓋部１２０を本体１１０から掛止解除させるように本体１１０に形成された押圧部１４０と、蓋部１２０が本体１１０から掛止解除される時に蓋部１２０が回動開放できるように押圧部１４０を覆いかぶせるように本体１１０に備えられて蓋部１２０を弾性復元力で引っ張る弾性ボタン部材２１０とを含む。【選択図】図１
2013142004.tif 000002
【特許請求の範囲】
【請求項１】
上部に吐出孔が形成された本体と、前記本体に設けられて前記吐出孔を開閉する蓋部が備えられたボタン式容器栓であって、
押え操作により前記蓋部を前記本体から掛止解除させるように前記本体に形成された押圧部と、
前記蓋部が前記本体から掛止解除される時に前記蓋部が回動開放できるように前記押圧部を覆いかぶせるように前記本体に備えられて前記蓋部を弾性復元力で引っ張る弾性ボタン部材を含むことを特徴とするボタン式容器栓。
【請求項２】
前記押圧部は前記本体に形成された離隔部に向けて押圧されるように前記本体から一体に延長形成され、
前記弾性ボタン部材の一側は前記押圧部及び離隔部を覆いかぶせて、前記弾性ボタン部材の他側は前記蓋部に連結されていることを特徴とする請求項１に記載のボタン式容器栓。
【請求項３】
前記弾性ボタン部材は、板状の形態に、ゴム材質やシリコーン材質の材料で形成されていることを特徴とする請求項２に記載のボタン式容器栓。
【請求項４】
前記弾性ボタン部材は、
前記本体の上部面のうち、少なくとも一部を覆いかぶせるように設けられた本体上面カバーと、
前記本体上面カバーの一側から延長形成されて前記離隔部を覆いかぶせる離隔部カバーと、
前記離隔部カバーから延長形成されて前記押圧部を覆いかぶせる押圧部カバーと、
前記本体上面カバーの他側から延長形成されて前記蓋部に連結された蓋引張部と、
を含むことを特徴とする請求項３に記載のボタン式容器栓。
【請求項５】
前記蓋部が前記本体の上部を覆う時に前記吐出孔を外部から密閉させるように前記蓋部の内底面で前記吐出孔に対応した位置には封入突起が形成されたことを特徴とする請求項４に記載のボタン式容器栓。
【請求項６】
前記蓋引張部は板面に長手方向に沿って形成された複数のビード突出部を含むことを特徴とする請求項４に記載のボタン式容器栓。
【請求項７】
前記本体は、前記蓋部が前記本体の上部を覆う時に前記蓋引張部の弾性変形を助長するように、外周縁のうち、前記蓋引張部に対応した位置から上方に延長形成された開放支持部を含むことを特徴とする請求項４に記載のボタン式容器栓。
【請求項８】
前記押圧部の上端部には係止段が形成され、
前記本体は、前記離隔部を挟んで前記係止段に対向するように前記本体の内側面に備えられたストッパーと、前記ストッパーの後方に配置されたストッパー支持突起をさらに含むことを特徴とする、請求項２乃至７のうちいずれか１項に記載のボタン式容器栓。
【発明の詳細な説明】
【技術分野】
【０００１】
本発明は、ボタン式容器栓に関し、より詳しくは、内部に内容物が貯蔵される容器に結合されて、簡便な押え操作により、内容物を出すことができるボタン式容器栓に関する。
【背景技術】
【０００２】
一般に、容器の内部に貯蔵された内容物の保護及び流出防止を目的として、容器には容器栓が装着される。
【０００３】
近来、ワンタッチ方式により取っ手を引っ張ることによって開閉される容器栓が広く使われている。しかしながら、このような容器栓は、調味料、歯磨き、またはシャンプーなどの多様な種類の内容物を使用するために開放する時に、多くの面倒さを伴う。
【０００４】
このような問題点を解決するために、特許文献１の“ボタン式容器栓”は、ねじ部により容器と締結した栓本体の吐出孔を遮断する係止段が形成された蓋板を、伸率の高いゴム材質の結束具により圧着支持するように一体形成し、上記蓋板の係止段をロッキングする押えボタンを、上記栓本体の上側端に一体形成する技術を提案している。
【０００５】
【特許文献１】大韓民国登録実用新案公報登録番号第２０−０２３５８５５号
【発明の概要】
【発明が解決しようとする課題】
【０００６】
しかしながら、このような従来技術によるボタン式容器栓は、栓本体と一体形成された押えボタンが繰り返して押圧される時に塑性変形が発生したり、外部に露出した状態であるので、外部からの掻かれや折れなどの物理力により破損することがあるという問題点がある。
【０００７】
また、結束具が別途に付着される設置構造が複雑になることで、製作過程が容易でないことがあるという問題点がある。
【０００８】
本発明の目的は、外部からの物理力による破損を防止でき、押え操作が反復的になされても変形や破損を防止できるボタン式容器栓を提供することにある。
【０００９】
本発明の他の目的は、製作が容易になるボタン式容器栓を提供することにある。
【課題を解決するための手段】
【００１０】
上記の目的は、本発明に従って、上部に吐出孔が形成された本体と、上記本体に設けられて上記吐出孔を開閉する蓋部が備えられたボタン式容器栓において、押え操作により上記蓋部を上記本体から掛止解除させるように上記本体に形成された押圧部と、上記蓋部が上記本体から掛止解除される時に、上記蓋部が回動開放できるように上記押圧部を覆いかぶせるように上記本体に備えられて、上記蓋部を弾性復元力で引っ張る弾性ボタン部材を含むことを特徴とする、ボタン式容器栓により達成される。
【００１１】
ここで、上記押圧部は上記本体に形成された離隔部に向けて押圧されるように上記本体から一体に延長形成され、上記弾性ボタン部材の一側は上記押圧部及び離隔部を覆いかぶせ、上記弾性ボタン部材の他側は上記蓋部に連結されていることが好ましい。
【００１２】
上記弾性ボタン部材は、板状の形態に、ゴム材質やシリコーン材質の材料で形成されていることが好ましい。
【００１３】
上記弾性ボタン部材は、上記本体の上部面のうち、少なくとも一部を覆いかぶせるように設けられた本体上面カバーと、上記本体上面カバーの一側から延長形成されて上記離隔部を覆いかぶせる離隔部カバーと、上記離隔部カバーから延長形成されて上記押圧部を覆いかぶせる押圧部カバーと、上記本体上面カバーの他側から延長形成されて上記蓋部に連結された蓋引張部を含むことが好ましい。
【００１４】
上記蓋部が上記本体の上部を覆う時に上記吐出孔を外部から密閉させるように上記蓋部の内底面で上記吐出孔に対応した位置には封入突起が形成されていることが好ましい。
【００１５】
上記蓋引張部は板面に長手方向に沿って形成された複数のビード突出部を含むことが好ましい。
【００１６】
上記本体は、上記蓋部が上記本体の上部を覆う時に上記蓋引張部の弾性変形を助長するように、外周縁のうち、上記蓋引張部に対応した位置から上方に延長形成された開放支持部を含むことが好ましい。
【００１７】
そして、上記押圧部の上端部には係止段が形成され、上記本体は、上記離隔部を挟んで上記係止段に対向するように上記本体の内側面に備えられたストッパーと、上記ストッパーの後方に配置されたストッパー支持突起をさらに含むことが好ましい。
【発明の効果】
【００１８】
本発明によれば、押圧部及び離隔部を覆いかぶせる弾性ボタン部材の押圧部カバーにより、外部からの物理力によるボタン式容器栓の破損を防止でき、押え操作が反復的になされてもボタン式容器栓の変形や破損を防止できる。
【００１９】
また、蓋引張部、押圧部カバー、及び本体上面カバーを含む弾性ボタン部材が本体と容易に一体に形成されることによって、ボタン式容器栓の製作が容易になる。
【図面の簡単な説明】
【００２０】
【図１】本発明によるボタン式容器栓の外観斜視図である。
【図２】図１のボタン式容器栓の分解斜視図である。
【図３】図１のボタン式容器栓の側断面図である。
【図４Ａ】図３のボタン式容器栓の作動過程を示す図である。
【図４Ｂ】図３のボタン式容器栓の作動過程を示す図である。
【図５】本発明の更に他の実施形態によるボタン式容器栓の側断面図である。
【発明を実施するための形態】
【００２１】
以下、添付した図面を参照して本発明について詳細に説明する。
【００２２】
本発明によるボタン式容器栓１００は、図１及び図２に示すように、上部に本体吐出孔１１１が形成された栓本体である本体１１０と、本体１１０に設けられて本体吐出孔１１１を回動式で開閉する蓋部１２０が備えられたものであって、本体１１０に形成された離隔部１３０に向けて押圧することにより蓋部１２０を本体１１０から掛止解除できるように本体１１０から一体に延長形成された押圧部１４０と、一側が押圧部１４０及び離隔部１３０を覆いかぶせ、他側が蓋部１２０に連結されて蓋部１２０が本体１１０から掛止解除される時に蓋部１２０が回動開放できるように蓋部１２０を他側から弾性復元力で引っ張る弾性ボタン部材２１０とを含む。
【００２３】
押圧部１４０及び離隔部１３０を覆いかぶせる弾性ボタン部材２１０により、外部からの物理力によるボタン式容器栓１００の破損を防止でき、押え操作が反復的になされても、ボタン式容器栓１００の変形や破損を防止できる。
【００２４】
本発明の一実施形態として、図３に示すように、蓋部１２０が本体１１０の上部を覆う時に、本体吐出孔１１１を外部から密閉するように蓋部１２０の内底面で本体吐出孔１１１に対応した位置には封入突起１２１が形成されていることが好ましい。図１に示すように、封入突起１２１は環状のリング（ring）形態で蓋部１２０の内底面から本体吐出孔１１１に向けて突出形成される。
【００２５】
一方、図１に示すように、押圧部１４０の上端部には係止段１４１が形成され、蓋部１２０の内側面において、蓋部１２０の閉じ時に、係止段１４１が接触する部位には、係止段１４１と噛み合う噛み段１２３が形成される。
【００２６】
本体１１０は、蓋部１２０が本体１１０に対して回動可能に一体に連結されるように備えられた蓋連結部１５０を含む。蓋連結部１５０は、本体１１０と蓋部１２０とが一体成形されることで形成される。
【００２７】
弾性ボタン部材２１０は、図１及び図２に示すように、本体１１０の上部面のうち、少なくとも一部を覆いかぶせるように設けられた本体上面カバー２２０と、本体上面カバー２２０の一側から延長形成されて離隔部１３０を覆いかぶせる離隔部カバー２３０と、離隔部カバー２３０から延長形成されて押圧部１４０を覆いかぶせる押圧部カバー２４０と、本体上面カバー２２０の他側から延長形成されて蓋部１２０に連結された蓋引張部２５０を含む。
弾性ボタン部材２１０は、蓋引張部２５０において、結合手段としての一体化成形、すなわち蓋部１２０および弾性ボタン部材２１０の一方を、他方の成形過程で他方と一体化する成形により、蓋部１２０と一体に結合されて一体化される。本実施形態では、蓋部１２０は本体１１０と一体成形されるので、蓋部材１２０と弾性ボタン部材２１０とを一体化する成形は、本体１１０および蓋部材１２０と弾性ボタン部材２１０とを一体化する成形でもある。
例えば、本体１１０および蓋部１２０を射出成形した後に、弾性ボタン部材２１０を射出成形する前記一体化成形により、蓋部１２０と蓋引張部２５０とが一体に結合された状態で、蓋部１２０と弾性ボタン部材２１０とが一体に結合される。このため、蓋部１２０と蓋引張部２５０とは、弾性ボタン部材２１０を成形するための金型内で、蓋部１２０と弾性ボタン部材２１０とが成形により一体化される過程で連結される。
【００２８】
これによって、図２に示すように、蓋引張部２５０、押圧部カバー２４０、及び本体上面カバー２２０を含む弾性ボタン部材２１０が、蓋部１２０、さらには本体１１０と容易に一体に形成されることによって、ボタン式容器栓１００の製作が容易になる。
【００２９】
本発明の一実施形態として、弾性ボタン部材２１０は、板状の形態にゴム材質やシリコ−ン材質の材料で形成されていることが好ましい。
【００３０】
押圧部１４０及び離隔部１３０を覆いかぶせる弾性ボタン部材２１０の押圧部カバー２４０により、外部からの物理力によるボタン式容器栓１００の破損を防止でき、押え操作が反復的になされても、ボタン式容器栓１００の変形や破損を防止できる。
【００３１】
本体上面カバー２２０は、図１乃至図３に示すように、本体吐出孔１１１を横切って本体１１０の上部面を覆いかぶせるように長手方向に形成され、本体吐出孔１１１に対応した位置にはカバー吐出孔２２１が形成され、蓋部１２０が回動されて本体１１０の上部を覆うように閉じられる時には蓋部１２０の封入突起１２１が本体上面カバー２２０の表面のうち、カバー吐出孔２２１の周りの領域に密着接触する。
【００３２】
図３に示すように、ゴムのような弾性材質の本体上面カバー２２０の表面のうち、蓋部１２０の封入突起１２１と密着接触する部位が少し凹みとなるように押されることで、封入突起１２１による密封性をより向上させることができる。
【００３３】
蓋引張部２５０は、図１に示すように、板面に長手方向に沿って形成された複数のビード（bead）突出部２５１を含む。
【００３４】
複数のビード突出部２５１により、蓋引張部２５０の蓋部１２０に対する引張力（弾性復原力）をより強化させることができるようになることで、蓋部１２０と本体１１０との間の掛止解除時には、より迅速かつ柔軟に蓋部１２０を本体１１０から回動開放させることができる。
【００３５】
このような構成によって、本発明によるボタン式容器栓１００は、図３に示すように、押圧部１４０の係止段１４１と蓋部１２０の噛み段１２３が相互噛み合った状態にいてから、図４Ａに示すように、ユーザが弾性ボタン部材２１０の押圧部カバー２４０を押えると、押圧部カバー２４０の背面に位置した押圧部１４０が離隔部１３０を通じて本体１１０の内側に向けて移動することによって、係止段１４１と噛み段１２３との間の噛み合い状態が解除され、図４Ｂに示すように、弾性ボタン部材２１０の蓋引張部２５０が弾性復原力により蓋部１２０の他側を引っ張るようになって蓋部１２０が速かに回動開放される。
【００３６】
本発明の更に他の実施形態として、本体１１０は、図５に示すように、離隔部１３０を挟んで係止段１４１に対向するように本体１１０の内側面に備えられたストッパー１６０と、ストッパー１６０の後方に配置されたストッパー支持突起１７０と、蓋部１２０が本体１１０の上部を覆う時に蓋引張部２５０の弾性変形を助長するように、外周縁のうち、蓋引張部２５０に対応した位置から上方に延長形成された開放支持部１８０を含む。
開放支持部１８０は、蓋引張部２５０の弾性変形量、具体的には、曲げによる弾性変形量が大きくなるように、蓋引張部２５０の弾性変形を、助長して、強制的に増大させることにより、蓋引張部２５０の弾性復元力を増大させる。
【００３７】
本発明の更に他の実施形態として、本体１１０は、ストッパー１６０、ストッパー支持突起１７０、及び開放支持部１８０を全て含むもの以外に、必要に応じて、本体１１０が、ストッパー１６０、ストッパー支持突起１７０、及び開放支持部１８０のうち、いずれか１つまたは２つを選択的に含むようにもできることは勿論である。
【００３８】
これによって、ユーザが容器の内部の内容物を出すために、蓋部１２０が回動開放されるように弾性ボタン部材２１０の押圧部カバー２４０を押さえれば、本体１１０の押圧部１４０が離隔部１３０に向けて押圧され、かつストッパー１６０により追加的な押圧移動が制限されることで、反復的な押え操作による押圧部１４０の塑性変形や破損を防止することができる。
ストッパー支持突起１７０がストッパー１６０を支持することによって、ストッパー１６０の変形及び破損を防止することができる。
開放支持部１８０により、蓋引張部２５０の弾性変形が助長されることによって、弾性ボタン部材２１０の押え操作による蓋部１２０と本体１１０との間の掛止解除時に強化された弾性復原力により、一層迅速で、かつ柔軟に蓋部１２０を本体１１０から回動開放させることができる。
【００３９】
本発明によれば、押圧部１４０及び離隔部１３０を覆いかぶせる弾性ボタン部材２１０の押圧部カバー２４０により、外部からの物理力によるボタン式容器栓１００の破損を防止することができ、押え操作が反復的になされてもボタン式容器栓１００の変形や破損を防止できる。
【００４０】
また、蓋引張部２５０、押圧部カバー２４０、及び本体上面カバー２２０を含む弾性ボタン部材２１０が、押圧部１４０及び離隔部１３０が予め設けられた本体１１０と容易に一体に形成されることによって、ボタン式容器栓１００の製作が容易になる。
【符号の説明】
【００４１】
１１０    本体
１２０    蓋部
１２１    封入突起
１３０    離隔部
１４０    押圧部
１４１    係止段
１６０    ストッパー
１７０    ストッパー支持突起
１８０    開放支持部
２１０    弾性ボタン部材
２２０    本体上面カバー
２３０    離隔部カバー
２４０    押圧部カバー
２５０    蓋引張部
２５１    ビード突出部
【図１】
2013142004.tif 000003
【図２】
2013142004.tif 000004
【図３】
2013142004.tif 000005
【図４Ａ】
2013142004.tif 000006
【図４Ｂ】
2013142004.tif 000007
【図５】
2013142004.tif 000008